(57)【要約】デジタルテレビジョンのトランスミッションのような受信されたデジタルデータトランスミッションにおけるプログラミングサービスを回復するために高速サービススキャンが提供される。レシーバ１００は、レシーバの位置に基づいて国又は領域設定１０５と同様に、異なる伝送規格について周波数データ１０４を記憶する。周波数データは、たとえば、ソフトウェアダウンロード、フラッシュカード、又はプレプログラミングを介して供給される場合がある。サービススキャンは、レシーバのリセット又はインスタレーションが行われるときに始動される。識別された伝送規格の周波数データが識別され、プログラミングサービスを回復するため、識別された周波数にのみ同調するためにレシーバでチューナ１０２を制御するために使用され、これによりスキャンタイムが低減される。
2007502046.tif 000002
【特許請求の範囲】
【請求項１】
デジタルデータの送信を受ける方法であって、
異なる伝送規格に従ってデジタルデータが送信される周波数を識別するデータを記憶するステップと、
受けたデジタルデータの送信に関連する異なる送信の規格の特定の１つを識別するステップと、
異なる伝送規格の特定の１つに関連する識別された周波数のみをスキャンするためにチューナを制御することで、前記受けたデジタルデータの送信においてプログラミングサービスを探すステップと、
を含むことを特徴とする方法。
【請求項２】
前記異なる伝送規格はそれぞれ異なる管轄に関連する、
請求項１記載の方法。
【請求項３】
前記異なる伝送規格はそれぞれ異なる国に関連する、
請求項１記載の方法。
【請求項４】
前記異なる伝送規格の特定の１つを識別するステップは、ユーザインタフェースを介してユーザ設定を受ける、
請求項１記載の方法。
【請求項５】
前記受けたデジタルデータの送信は、デジタルビデオブロードキャスト規格に従って供給される、
請求項１記載の方法。
【請求項６】
前記受けたデジタルデータの送信は、少なくとも１つのオーディオ及びビデオデータを含む、
請求項１記載の方法。
【請求項７】
前記受けたデジタルデータの送信は、データサービスを含む、
請求項１記載の方法。
【請求項８】
前記受けたデジタルデータの送信は、ブロードキャスト、マルチキャスト及びストリーミングコンテンツのうちの少なくとも１つで提供される、
請求項１記載の方法。
【請求項９】
前記異なる伝送規格に従ってデジタルデータが送信される周波数に関連する帯域幅を識別するデータを記憶するステップを更に含み、
前記プログラミングサービスを探すステップは、前記帯域幅を識別するデータに応答して行われる、
請求項１記載の方法。
【請求項１０】
デジタルデータの送信を受けるための方法を実行するための、マシンにより実行可能な命令のプログラムを実現するプログラムストレージ装置であって、
当該方法は、
異なる伝送規格に従ってデジタルデータが送信される周波数を識別するデータを記憶するステップと、
受けたデジタルデータの送信に関連する異なる送信の規格の特定の１つを識別するステップと、
異なる伝送規格の特定の１つに関連する識別された周波数のみをスキャンするためにチューナを制御することで、前記受けたデジタルデータの送信においてプログラミングサービスを探すステップと、
を含むことを特徴とするプログラムストレージ装置。
【請求項１１】
デジタルデータの送信を受けるレシーバであって、
異なる伝送規格に従ってデジタルデータが送信される周波数を識別するデータを記憶し、受けたデジタルデータの送信に関連する異なる伝送規格の特定の１つを識別するデータを記憶する少なくとも１つのメモリと、
前記少なくとも１つのメモリに関連するコントロールと、
前記異なる伝送規格に特定の１つに関連する識別された周波数のみをスキャンすることで、前記受けたデジタルデータの送信におけるプログラミングサービスを探すために前記コントロールに応答するチューナと、
を有することを特徴とするレシーバ。
【請求項１２】
デジタルデータの送信を受けるためのレシーバであって、
予め決定された周波数のセットをスキャン可能なチューナと、
少なくとも１つの伝送規格に従ってデジタルデータが送信される予め決定された周波数のセットのサブセットを識別するデータを記憶する少なくとも１つのメモリと、
前記少なくとも１つのメモリに関連され、予め決定された周波数のセットのサブセットのみをスキャンすることで前記受けたデジタルデータの送信におけるプログラミングサービスを探すためにチューナを制御するコントロールと、
を有することを特徴とするレシーバ。
【請求項１３】
前記少なくとも１つのメモリは、複数の伝送規格に従ってデジタルデータが送信される周波数を識別するデータを記憶する、
請求項１２記載のレシーバ。
【請求項１４】
前記複数の伝送規格は、Ｅ−ｂｏｏｋ、Ｄ−ｂｏｏｋ及びＮｏｒＤｉｇを含む、
請求項１２記載のレシーバ。
【請求項１５】
前記コントロールは、前記少なくとも１つのメモリに関連され、前記受けたデジタルデータの送信に関連する伝送規格の選択された１つについて識別された周波数のみをスキャンすることで、前記受けたデジタルデータの送信におけるプログラミングサービスを探すために前記チューナを制御する、
請求項１２記載のレシーバ。
【請求項１６】
デジタルデータの送信を受けるためにレシーバを実現するための方法であって、前記レシーバは、予め決定された周波数のセットをスキャン可能なチューナ、及び少なくとも１つのメモリを含み、
少なくとも１つの伝送規格に従ってデジタルデータが送信される予め決定された周波数のセットのサブセットを識別するために、前記少なくとも１つのメモリにデータを記憶するステップと、
を含むことを特徴とする方法。
【請求項１７】
前記少なくとも１つのメモリにデータを記憶するステップは、複数の伝送規格に従ってデジタルデータが送信される周波数を識別するために少なくとも１つのメモリにデータを記憶するステップを含む、
請求項１６記載の方法。
【請求項１８】
前記複数の伝送規格は、Ｅ−ｂｏｏｋ，Ｄ−ｂｏｏｋ及びＮｏｒＤｉｇを含む、
請求項１７記載の方法。
【請求項１９】
前記チューナを制御するステップは、前記受けたデジタルデータの送信に関連する伝送規格の選択された１つについて識別された周波数のみをスキャンすることで、前記受けたデジタルデータの送信におけるプログラミングサービスを探すために前記チューナを制御するステップを含む、
請求項１６記載の方法。
【請求項２０】
前記少なくとも１つのメモリにデータを記憶するステップは、前記少なくとも１つの伝送規格に従って前記デジタルデータが送信される周波数に関連する帯域幅を識別するために前記少なくとも１つのメモリにデータを記憶するステップを含む、
前記プログラミングサービスを探すために前記チューナを制御するステップは、前記帯域幅を識別するデータに応答して行われる、
請求項１６記載の方法。
【発明の詳細な説明】
【技術分野】
【０００１】
本発明は、デジタルテレビジョン通信に関し、より詳細には、かかるテレビジョン受像機のようなデジタルデータレシーバ用の高速サービススキャンを提供するための技術に関する。
【背景技術】
【０００２】
デジタルテレビジョン通信は、オーディオ及びビデオ信号の品質、並びに実現することができる各種機能のために益々普及してきている。たとえば、ＤＶＢ（Digital  Video  Broadcasting）コンソーシアムにより定義される規格は、世界の多くの領域で実現されてきている。とりわけ、これらの規格は、ＤＶＢ−Ｓ、サテライトトランスミッション規格、ＤＶＢ−Ｃ、ケーブルデリバリ規格、ＤＶＢ−Ｔ、地上波伝送規格を含む一連の伝送仕様を含んでいる。ＤＶＢ−Ｔは、ＣＯＦＤＭ（Coded  Orthogonal  Frequency  Divisional  Multiplexing）及びＱＰＳＫ、１６ＱＡＭ及び６４ＱＡＭ変調に基づいた、洗練されかつフレキシブルなデジタル地上波伝送システムである。ＤＶＢ−Ｔは、サービスプロバイダが電力の一部でアナログカバレッジに整合すること、アナログカバレッジを改善することさえも可能にする。さらに、ポータブルハンドヘルド装置のようなモバイル分野でデジタル地上波テレビジョンの範囲を拡張する。
【０００３】
最初のインスタレーション又はリセットに応じて、デジタルテレビジョンレシーバは、受信された伝送におけるサービスを識別しようとする。このことは、信号が存在する場合がある可能な周波数のそれぞれをスキャニングすることで行うことができる。たとえば、これはＵＨＦ周波数スペクトルのチャネル２１−６９を含む場合がある。これは、全体の周波数レンジにおける全ての多重化及びサービスを発見する自動サーチである。また、チャネル番号を入力することでマニュアルサーチをユーザが実行するのを可能にする。レシーバは、指定されたチャネルに同調し、全ての新たなサービスを加え、サービスリストにおける既存のサービスを置き換える。たとえば、フルレンジスキャンは、大部分の受信機について２０分を要する。これは、ユーザにとって非常に不便である。
【発明の開示】
【課題を解決するための手段】
【０００４】
本発明は、テレビジョンレシーバのようなデジタルデータレシーバ用の高速サービススキャンを提供することで、先の問題及び他の問題に対処するものである。
【０００５】
本発明の特定の態様では、デジタルデータトランスミッションを受けるための方法は、デジタルデータが異なる伝送規格に従って伝送される周波数を識別するデータを記憶するステップ、受信されたデジタルデータトランスミッションに関する異なる伝送規格のうちの特定の１つを識別するステップ、異なる伝送規格の特定の１つに関連する識別された周波数のみをスキャンするためにチューナを制御することで受信されたデジタルデータトランスミッションにおいてプログラミングサービスを探す（locating）ステップを含んでいる。
【０００６】
本発明の更なる態様では、本方法は、デジタルデータトランスミッションを受けるためのレシーバを構成するために提供され、レシーバは、予め決定された周波数のセットをスキャニング可能なチューナ、及び少なくとも１つのメモリを含んでいる。本方法は、少なくとも１つの伝送規格に従ってデジタルデータが伝送される予め決定された周波数のセットのサブセットを識別するために少なくとも１つのメモリにデータを記憶するステップ、及び予め決定された周波数のセットのみをスキャニングすることで、受信されたデジタルデータトランスミッションにおいてプログラミングサービスを探すため、チューナを制御するステップを含んでいる。
また、対応するプログラムストレージデバイス及びレシーバも提供される。
【発明を実施するための最良の形態】
【０００７】
全ての図面において、対応する部材は同じ参照符号により引用される。
様々なデジタルデータトランスミッション規格では、トランスミッションで使用される固定された数の周波数が説明される。この周波数の数は、従来のオートマチックサーチモードでサーチされる全体の周波数の数よりも著しく少ない。かかる周波数のリストは、地域又は国を含む、異なる管轄により従う各種規格で発見することができる。たとえば、Ｄ−ｂｏｏｋ規格は英国及び豪州で使用され、Ｅ−ｂｏｏｋ規格は欧州で使用され、ＮｏｒＧｉｇ規格はノルウェー、スウェーデン、フィンランド及びデンマークをカバーする。これらの規格のトップで、なかには、かれらが使用する基本的な規格への拡張によりそれら自身の規格を有する国がある。たとえば、豪州により使用される仕様は、Ｄ−ｂｏｏｋの拡張に基づいている。
【０００８】
本発明は、高速サービススキャンを実行するための方法を提供する先の観察を利用する。固定されたグリッドを使用して、レシーバは、連続スキャンを実行することよりも非常に迅速にフルレンジをスキャンすることができる。１つの可能なアプローチでは、本発明は、国に特化した規格と汎用的な規格との組み合わせに基づいて、１つの周波数テーブルにおいて欧州で使用される全ての可能な周波数を結合することで実現することができる。たとえば、１つの欧州の周波数テーブルは、Ｅ−ｂｏｏｋ、Ｄ−ｂｏｏｋ及びＮｏｒＤｉｇトランスミッション規格を結合することができる。別のテーブルは、豪州の周波数について提供することができる。サービススキャンが実行されたとき、特定のグリッド又はテーブルにおける周波数のみがレシーバにおけるユーザ設定に基づいてスキャンされるレシーバの地理的な位置に依存して、ユーザは、スキャンするために適切な周波数をレシーバが識別するのを可能にするためにどのトランスミッション規格が使用されるかをレシーバに通知するための設定を提供することができる。少ない周波数がスキャンされるので、サービススキャンは、２０秒程度で終了することができる。さらに、同じレシーバは、異なる伝送規格がレシーバの国／地域の設定を設定することのみにより使用される異なる地理的な位置で使用することができる。これにより、レシーバの製造コスト、分散コスト及びインスタレーションコストが低減される。
【０００９】
さらに、レシーバで固定される周波数テーブルを有する課題、及び豪州で生じるような使用される周波数が変化することがある事実を克服するため、ソフトウェアダウンロード及び／又はフラッシュカードを介して、周波数テーブルが要求されるように更新することができる。実際に、通常これらの周波数レンジは、全く安定である。
本実施の形態で開示される手順は、通常よりも１０〜２０倍高速である周波数スキャンとなる。
【００１０】
図１は、本発明に係る高速サービススキャンを提供するための例示的なデジタルデータレシーバを例示する図である。ブロック１０２は、「チューナ及びデコーダ」である。ブロック１０３は、「制御回路」である。ブロック１１３は、「メモリ」である。ブロック１０４は、「周波数データ」メモリである。ブロック１０５は、「国／領域設定」メモリである。ブロック１０７は、「出力回路」である。ブロック１０６は、「ユーザインタフェース」である。ブロック１１０は、「ディスプレイ」である。
【００１１】
１つの可能なアプローチでは、本発明は、たとえば、アンテナのような入力経路１０１を介してテレビジョン信号を受け、信号出力経路１０８を介してテレビジョンのようなディスプレイデバイス１１０での表示のための信号を出力するレシーバ１００といった、テレビジョンセットトップレシーバでのコンポーネントを使用して実現される。しかし、本発明は、ビデオ及び／又はオーディオプログラムを受けるタイプの装置に一般的に適用される。たとえば、本発明は、たとえばウェブキャストのようなダウンロード、ストリーミング又はブロードキャスティングといった、インターネットのようなネットワークからのビデオプログラムを受けるコンピュータで実現される場合がある。ビデオプログラムは、必須ではないが、オーディオトラックを典型的に含んでいる。さらに、本発明は、たとえばウェブキャスト、地上波及び衛星無線ブロードキャストを含む無線ブロードキャストのような、インターネットを介して供給されるようなオーディオオンリプログラムで使用される。また、本発明は、オーディオ又はビデオが必要とされない、データサービスを含むトランスミッションで使用することもできる。
【００１２】
レシーバ１００は、チューナ／デコーダ１０２で、受信されたプログラムを同調、分離及びデコードする。プログラムは、たとえばケーブル、サテライト、又は地上波ブロードキャストにより送信されるデジタル又はアナログマルチプレックスで提供される場合がある。一般に、プログラムのうちの１つは、ハンドヘルドリモートコントロールを介してユーザ／ビューアによりなされたチャネルセレクションに基づいてデコードされる。リモートコントロールからのユーザ入力信号は、レシーバ１００でユーザインタフェース機能１０６により処理される。リモートコントロールは、赤外線、有線、超音波、無線周波数等のような通信経路１０９のタイプを使用する場合がある。ユーザがユーザインタフェース１０６を介してチャネルを選局したとき、制御回路１０３は、たとえば受信されたトランスミッションからパケット識別子（ＰＩＤ）のような情報を使用して、対応するプログラムを回復する。
【００１３】
デコードされたプログラムは、出力回路１０７を介して表示装置１１０に伝達されるか、又はその後の表示のためにローカルに記憶される場合がある。ワーキングメモリ１１３をもつマイクロプロセッサのような制御回路１０３は、チューナ／デコーダ１０２の機能を制御するためにチューナ／デコーダ１０２と対話する場合がある。ワーキングメモリ１１３は、本実施の形態で記載される機能を達成するために制御回路１０３により実行されるソフトウェアを記憶するプログラムストレージデバイスであると考えられる場合がある。しかし、所望の機能を達成するためにソフトウェアのような命令を記憶及び処理するためのリソースは、公知の技術を使用して供給される場合がある。
【００１４】
制御回路１０３は、周波数データメモリ１０４に周波数データを記憶する。周波数データは、たとえばテーブルフォームであり、ソフトウェアダウンロード又はフラッシュカードを介して得られる。周波数データは、必要である場合、同様に更新することもできる。周波数データは、伝送規格に関連する特定の周波数に同調するために、チューナ／デコーダ１０２を制御することにおいて制御回路１０３により使用されるデータを含む。データは、たとえば中央の周波数の値を含むことができる。ＦＦＴモード及びガードインターバルのような他の同調パラメータを含むことができる。さらに、周波数データは、周波数それ自身の後の重要なパラメータであるトランスミッションの帯域幅を特定することができる。１つの可能な実現では、周波数データは、周波数と帯域幅の組み合わせのみを含む。
【００１５】
スキャニングプロセスは、これらのパラメータを変動することで調整することができる。周波数データは、たとえば異なる国又は領域といった異なる伝送規格に関連する周波数を識別及び検索できるように編成される場合がある。
【００１６】
たとえば管轄の設定といった国及び／又は領域は、そのデシジョンメーキングプロセスにおいて制御回路１０３による使用のためにメモリ１０５に記憶される場合がある。領域は、たとえば国のグループ、１つの国の一部とすることができる。メモリ１０４及び１０５は、個別であるとして示されているが、他のメモリリソースで結合される場合がある。国及び／又は領域設定は、ユーザインタフェース１０６を介して、又はデュアルインラインポール（ＤＩＰ）等のようなハードウェアスイッチを介してユーザにより提供される場合がある。国及び／又は領域設定は、１以上の伝送規格に関連する場合がある。制御回路１０３は、メモリ１０５における国／領域設定に基づいた周波数データメモリ１０４における特定の伝送規格の周波数を識別することができる。１つの伝送規格の周波数がメモリ１０４に記憶されたとき、異なる周波数グループの間で区別するための個別の国／領域の設定の必要がない。
【００１７】
図２は、本発明に係る、例示的な周波数スペースを例示する。周波数スペースは、レシーバ１００により同調することができる周波数を示すベン図である。周波数スペース２００は、たとえば予め決定された周波数のセットをレシーバが同調可能な全体の周波数レンジを示す。たとえば、スウェーデンは、ＮｏｒＤｉｇＩＩ仕様に従う。このケースでは、レシーバは、ＵＨＦバンドＩＶ及びＶにおける全てのチャネル（チャネル２１−６９）を受信可能である。特に、チューナは、到来するＤＶＢ−Ｔ  ＲＦの中心周波数ｆcに同調可能であり、この場合、ｆc＝４７４ＭＨｚ＋（Ｎ−２１）×８ＭＨｚ＋ｆfineであり、Ｎ∈｛２１，．．．，６９｝、及びｆfine∈［−１０ｋＨｚ，１０ｋＨｚ］である。Ｎはチャネル番号であり、ｆfineは連続的なファイン周波数のオフセットレンジである。周波数スペース２１０，２２０及び２３０は、第一、第二及び第三の伝送規格のそれぞれに関連する周波数を示す。例として、周波数間のオーバラップは、周波数スペース２１０，２２０及び２３０について示されているが、このケースでは必須ではない。周波数スペース２１０，２２０，２３０は、周波数スペース２００のそれぞれのサブセットである。
【００１８】
図３は、本発明に係る、高速サービススキャンを供給するための例となる方法を例示する。ブロック３００は、「異なる規格について伝送周波数を識別」を示す。ブロック３０５は、「レシーバに周波数を記憶」を示す。ブロック３１０は、「リセット又はインスタレーション？」を尋ねる。ブロック３１５は、「受信された伝送に関連する規格を識別」を示す。ブロック３２０は、「識別された規格について記憶された周波数を検索」を示す。ブロック３２５は、「受信されたトランスミッションでサービスを探すため、識別された規格について周波数のみをスキャンする」を示す。
【００１９】
ブロック３００で、１以上の伝送規格についての伝送周波数が識別される。これら周波数は、一般的に入手可能な規格の文献から得ることができる。ブロック３０５で、たとえばソフトウェアダウンロード、フラッシュカード又は製造時でのプリプログラミングを介して周波数データメモリ１０４におけるように、レシーバ１００に周波数が記憶される。ブロック３１０で、レシーバのリセット又はインスタレーションが生じたかが判定される。これらの状況では、受信されたプログラミングサービスを回復及び識別するためにサービススキャンが必要とされる。サービススキャンが示された場合、受信されたトランスミッションに関連する規格は、たとえば、国／領域の設定メモリ１０５におけるデータに基づいて、ブロック３１５で識別される。ブロック３２０で、識別された伝送規格について記憶された周波数は、周波数データメモリ１０４から回復され、受信されたトランスミッションのデータサービスを回復するため、特定の周波数に同調するためにチューナ／デコーダ１０２を制御するために使用される。特に、ブロック３２５で、チューナ／デコーダ１０２は、識別された規格について周波数のみをスキャンする。チューナ／デコーダ１０２は、たとえば、最低から最高に順次に周波数を同調する場合がある。
【００２０】
本発明の好適な実施の形態と考えられるものを図示及び説明してきたが、本発明の精神から逸脱することなしに様々な変更及び変形が形式的又は詳細に容易になされることを理解されたい。したがって、本発明は記載及び例示された正確な構成に限定されるものではないことが意図されるが、特許請求の範囲に含まれる全ての変更をカバーするように解釈される。
【図面の簡単な説明】
【００２１】
【図１】本発明に係る高速サービススキャンを提供するための例示となるデジタルデータレシーバを例示する図である。
【図２】本発明に係る、例示的な周波数スペースを例示する図である。
【図３】本発明に係る、高速サービススキャンを提供する方法を例示する図である。
【図１】
2007502046.tif 000003
【図２】
2007502046.tif 000004
【図３】
2007502046.tif 000005
【国際調査報告】
2007502046.tif 000006
2007502046.tif 000007
2007502046.tif 000008